(57)【要約】      （修正有）【課題】衣類の前身頃と後身頃を離して乾燥しやすくし、かつ壁面等から離して効果的に洗濯物を干すことができるハンガーを提供する。【解決手段】衣類を掛ける衣類ハンガーであって、この衣類ハンガーはハンガー本体４２と、このハンガー本体の中央頂部に設けられたハンガーフック４１と、その下部に枢着された支持体４３とから構成され、この支持体はハンガー本体との間に設けられた回転軸４３Ａ周りに回転可能であり、この支持体を所定の角度回転させた状態で、この衣類ハンガーの頂部に設けられたハンガーフックを壁のフック等に係止させ、その支持体を壁に当接させて、この衣類ハンガーを所定の角度で壁に係止させることができる。【選択図】図３
2016077825.tif 000002
【特許請求の範囲】
【請求項１】
衣類を掛ける衣類ハンガーであって、この衣類ハンガーはハンガー本体と、このハンガー本体の中央頂部に設けられたハンガーフックと、その下部に枢着された支持体とから構成され、この支持体はハンガー本体との間に設けられた回転軸周りに回転可能であり、この支持体を所定の角度回転させた状態で、この衣類ハンガーの頂部に設けられたハンガーフックを壁のフック等に係止させ、その支持体を壁に当接させて、この衣類ハンガーを所定の角度で壁に係止させる斜め掛けハンガー。
【請求項２】
請求項１の斜め掛けハンガーの支持体に空洞部で構成されるネクタイ掛けを設けたこと特徴とする斜め掛けハンガー。
【請求項３】
請求項１または請求項２の斜め掛けハンガーの支持体の略中央部に他のハンガー等を掛ける連結部を設けたことを特徴とする斜め掛けハンガー。
【請求項４】
請求項１から請求項３の何れかの斜め掛けハンガーのハンガーフックとハンガー本体を相互に旋回可能としたことを特徴とする斜め掛けハンガー。
【発明の詳細な説明】
【技術分野】
【０００１】  この発明は、衣類ハンガーを斜めに掛けて衣類を乾燥させる斜め掛けハンガーに関する。
【背景技術】
【０００２】  従来、雨の日などに洗濯物を室内で干すための干し具が考えられていた。しかしながら、もともと室内は生活空間であり、洗濯物を干すことを想定していなく、場所が限定されていた。その中で、壁面やガラス面などに取り付けて干す次の技術が開示されていた。
【先行技術文献】
【特許文献】
【０００３】
【特許文献１】特開２００２−２７２５９０
【特許文献２】特開２０１０−１８７８０３
【発明の概要】
【発明が解決しようとする課題】
【０００４】  特許文献１、特許文献２の掛け具はガラス面に吸盤を取り付けて、掛け部やスタンドをガラス面等から突出させている。このため、ガラス面等から洗濯物を離して干すことができるが、掛け部やスタンドがガラス面等から突出しており危険であった。非使用時には折りたためるようになっているが、折りたたむのを忘れたりして、不用意に顔面等をぶつける恐れがあった。また、何れも衣類の前身頃と後身頃が密着しているので、乾きが遅いという問題があった。
【課題を解決するための手段】
【０００５】  衣類を掛ける衣類ハンガーであって、この衣類ハンガーはハンガー本体と、このハンガー本体の中央頂部に設けられたハンガーフックと、その下部に枢着された支持体とから構成され、この支持体はハンガー本体との間に設けられた回転軸周りに回転可能であり、この支持体を所定の角度回転させた状態で、この衣類ハンガーの頂部に設けられたハンガーフックを壁のフック等に係止させ、その支持体を壁に当接させて、この衣類ハンガーを所定の角度で壁に係止させることができる斜め掛けハンガーである。
【発明の効果】
【０００６】  この発明では、上記の問題点を解決し、衣類の前身頃と後身頃を離して乾燥しやすくし、かつ壁面等から離して効果的に洗濯物を干すことができる。
【図面の簡単な説明】
【０００７】
【図１】第一の実施例の斜め掛けハンガーを示す正面図である。
【図２】第一の実施例の斜め掛けハンガーを示す側面図である。
【図３】第一の実施例の斜め掛けハンガーを壁面に掛けた状態を示す正面図である。
【図４】第一の実施例の斜め掛けハンガーを壁面に掛けた状態を示す側面図である。
【図５】第二の実施例の斜め掛けハンガーを示す正面図である。
【図６】第三の実施例の斜め掛けハンガーを示す正面図である。
【図７】第四の実施例の斜め掛けハンガーを壁面に掛けた状態を示す側面図である。
【発明を実施するための形態】
【０００８】  衣類を掛ける衣類ハンガーであって、この衣類ハンガーはハンガー本体と、このハンガー本体の中央頂部に設けられたハンガーフックと、その下部に枢着された支持体とから構成され、この支持体はハンガー本体との間に設けられた回転軸周りに回転可能であり、この支持体を所定の角度回転させた状態で、この衣類ハンガーの頂部に設けられたハンガーフックを壁のフック等に係止させ、その支持体を壁に当接させて、この衣類ハンガーを所定の角度で壁に係止させることができる斜め掛けハンガーである。
【０００９】  上記の斜め掛けハンガーの支持体に空洞部で構成されるネクタイ掛けを設けたこと特徴とする斜め掛けハンガーである。
上記の斜め掛けハンガーの支持体の略中央部に他のハンガー等を掛ける連結部を設けたことを特徴とする斜め掛けハンガーである。
上記の何れかの斜め掛けハンガーのハンガーフックとハンガー本体を相互に旋回可能としたことを特徴とする斜め掛けハンガーである。
【実施例】
【００１０】  図１から図４により第一の実施例を説明すると、斜め掛けハンガー４０は、掛け具本体４２とハンガーフック４１と、支持体４３とから構成されている。掛け具本体４２は、山形の外形を形成し、その頂部にはハンガーフック４１が結合されている。通常は、掛け具本体４２とハンガーフック４１はプラスチックで一体に形成されている。【００１１】  支持体４３には、略台形状の支持体本体４３Ｂの上部に回転軸４３Ａが設けられ、掛け具本体４３Ｂの中央下部にネクタイ掛け４３Ｃが設けられている。回転軸４３Ａは平行な両端面を有し、その幅はハンガー本体４２の頂部近傍に設けられた取付部４２Ａの幅よりやや小さく形成されている。回転軸４３Ａは取付部４２Ａに嵌合して枢着され、支持体４３が回転軸４３Ａ回りに回転可能である。【００１２】  図３、図４により、斜め掛けハンガー４０を室内の壁に掛けて使用する状況を説明する。支持体４３は、ハンガー本体４２に対し、角θ回転可能であり、本実施例ではθが略９０度だけ回転した状態で節度感を持って係止可能である。この状態で、ハンガーフック４１を壁に取り付けられたフック８０に掛けるとハンガー本体４２は所定の角度だけ傾いて係止される。【００１３】  斜め掛けハンガー４０に掛けられた洗濯衣類５０は、壁９０から離され、前身頃５１と後身頃５２の間隔が拡げられて、風通しが良くなり、乾燥が促進される。ネクタイ掛け４３Ｃにはネクタイを掛けることもでき、衣類保管用としても便利である。【００１４】  この実施例の斜め掛けハンガー４０は、ハンガーを支えるフック等が壁面から突出しない。
従って、使用時、非使用時に関わらず誤ってフック等に顔面等をぶつけるという危険を避けることができる。また、斜め掛けハンガー４０自体に支持体４３が組み込まれているので、支持体４３が紛失して探し回ったりすることが避けられ、斜め掛けハンガー４０を片付ければ部屋には不要なものが残らないので美観上も好ましい。【００１５】  図５は、第二の実施例であり、ネクタイ掛け４３Ｃの中央部に連結部４３Ｄを設け、他のハンガーを連ねることできる。
図６は、第三の実施例であり、ネクタイ掛け４３Ｃの一方を開放して、ネクタイの掛け外しを容易にできるようにしたものである。
図７は、第四の実施例であり、ハンガーフック４１とハンガー本体４２の間に旋回部４４を設けて、相互に旋回できるようにしてある。タンスの上の角や、長押等に掛けることができる。
【産業上の利用可能性】
【００１６】  この発明の斜め掛けハンガーは、洗濯物を室内で干すだけでなく、屋外でも利用可能である。
【符号の説明】
【００１７】４０は斜め掛けハンガー
４１はハンガーフック
４２はハンガー本体
４２Ａは取付部
４３は支持体
４３Ａは回転軸
４３Ｂは支持体本体
４３Ｃはネクタイ掛け
４３Ｄは連結部
４４は旋回部
５０は洗濯衣類
５１は前見頃
５２は後身頃
８０はフック
９０は壁
【図１】
2016077825.tif 000003
【図２】
2016077825.tif 000004
【図３】
2016077825.tif 000005
【図４】
2016077825.tif 000006
【図５】
2016077825.tif 000007
【図６】
2016077825.tif 000008
【図７】
2016077825.tif 000009